(57)【要約】補助冷却装置、特に回転型又はリニアモータの一次部用補助冷却装置に関する。この冷却装置は、水槽型又は導水溝型の支持体（１０）と、この支持体の天井面に間隔部材（３０）により装着された冷却コイル（２０）とを備える。間隔部材は、冷却装置が装着された際一次部の面上に載置される載置面（Ａ）を備え、載置面と冷却コイル（２０）の間に良好な熱結合を作り出す。間隔部材は支持体の天井面（１５）を貫通して延び、冷却装置を取付けた一次部の付加的な高さを特定する特定の高さ（Ｈ）を持っている。冷却装置は、好ましくはリニアモータの一次部に取付けられて高効率の冷却を保障する。その外形寸法は少なくとも載置面に垂直な方向に高精度に保持される。
2005502298.tif 000002
【特許請求の範囲】
【請求項１】
電動機部上に装着される支持体（１０）と、該支持体（１０）に固定手段により取付けられる少なくとも１つの冷却部材（２０）とを備えた電動機用冷却装置において、前記固定手段が電動機部上に載置するための載置面（Ａ）を有し、かつ該載置面に垂直な方向に所定の高さ（Ｈ）を持つ間隔部材（３０）として構成されたことを特徴とする装置。
【請求項２】
前記間隔片が支持体を貫通し、前記所定の高さ（Ｈ）が、冷却装置を取付けた電動機部の最大付加高さ又は直径を規定することを特徴とする請求項１記載の装置。
【請求項３】
前記冷却部材が間隔部材（３０）を貫通して案内されることを特徴とする請求項１又は２に記載の装置。
【請求項４】
前記間隔部材が、載置面（Ａ）と反対側の端部でナット（４０）、止め座金、割りピン等で支持体（１０）に固定されたことを特徴とする請求項１から３の１つに記載の装置。
【請求項５】
前記冷却部材が間隔部材（３０）の隙間に挿入された冷却コイル（２０）であり、該冷却コイル（２０）が少なくとも前記載置面（Ａ）に対向する領域で、長手方向隙間と形状的な嵌め合い結合を形成することを特徴とする請求項１から４の１つに記載の装置。
【請求項６】
請求項１から５の１つに記載の冷却装置を備えた回転型又はリニアモータの一次部。
【請求項７】
請求項６に記載の一次部を備えた回転型又はリニアモータ。
【発明の詳細な説明】
【背景技術】
【０００１】
電動機運転時、特にその一次部に損失熱を発生する。その熱は外部へ放出せねばならない。この熱放出は、ごく簡単な場合には熱伝導により電動機の金属構造部分、特に巻線用鉄心を介して、更に熱放射および対流によって行われる。また、冷却すべき電動機部から損失熱を水のような冷却媒体を介して直接放出するために、冷却コイルのような冷却部材を電動機部（一次部、二次部）に直接取付けることも公知である。
【０００２】
取付けられた冷却装置の支援のため、又は冷却装置を取付けていない電動機部に補助冷却装置を組込むことは公知である。この種の冷却装置は、例えばリニアモータにおいて、通常水槽又は導水溝（「帽子」）の形状をした支持体を備える。なお、この帽子の内形寸法は冷却すべき電動機部の外形寸法に合わされる。内部では、帽子はその少なくとも内面上部に、ばね部材によって固定される冷却コイルを支持する。場合によっては、絶縁材料および絶縁片も設けられる。このように構成された帽子は、冷却すべき電動機部、主に一次部上に載置され、ねじによって固定される。
【０００３】
上述の構造では、一方では冷却すべき構造部分への冷却コイルの熱的な結合が不十分であるという問題を含む。他方電動機部、例えば一次部の寸法を高精度に作るべきことも考慮せねばならず、取付け手段やばね、絶縁片等の付加的な種々の部品のため、載置した補助冷却装置では、外形寸法、特にリニアモータの高さ方向の寸法、回転型電動機の直径寸法の高精度を保証し得ず、又はかかる高精度は相当高価な製造コストに結びつく。
【０００４】
従って本発明の課題は、能率的に作動し、優れた寸法精度を有する電動機部用補助冷却装置を提供することである。
【０００５】
この課題は、請求項１に記載の特徴を持つ冷却装置で解決される。従属請求項は本発明の好ましい実施形態を示す。
【０００６】
本発明によれば、冷却部材用固定手段が、冷却すべき電動機部上に載置するための載置面を備え、かつ該載置面に垂直な方向に所定の高さを持つ間隔部材として構成される。
【０００７】
冷却すべき電動機部の一面に直接接する載置面で良好な熱結合が保障され、間隔部材に接続された冷却部材を介して損失熱が間隔部材から直接放出される。
【０００８】
更に間隔部材が少なくとも載置面に垂直な方向に所定の高さを持つことで、載置された冷却器を有する電動機部の少なくとも前記方向の付加的寸法を、間隔部材の高さにより特定できる。即ち、単一形式の構造部分のみでその寸法が定まる。また間隔部材が直接冷却され、従って種々の温度に基づく長さ変動は殆ど問題にならない。
【０００９】
好ましくは、間隔部材は支持体を貫通する。その結果、間隔部材の付加的高さで冷却装置を取付けた電動機部の付加的全高さと全直径が定まる。
【００１０】
好ましくは、冷却部材は間隔部材を貫通して案内される。その場合、間隔部材は支持手段に、ナット、止め座金、割りピン等によって固定される。
【００１１】
好ましい実施形態では、冷却部材は間隔部材の隙間を通して案内される冷却コイルである。その場合、冷却コイルおよび隙間は、少なくとも載置面に対向する領域内で間隔部材内に形状的に嵌まり合うように構成される。
【００１２】
巻線用鉄心、巻線等を有するリニアモータの一次部が、本発明による冷却装置を備えると好ましい。
【００１３】
回転型電動機の場合、冷却装置を弧状のセグメントの形に形成し、電動機の外周に沿って装着するとよい。
【００１４】
添付図面を参照し、本発明の一実施例を説明する。
【００１５】
本発明の冷却装置は、下方に向かって開いた導水溝や水槽状の支持体１０を含む。支持体１０の天井面１５に、間隔部材３０を経て循環型の冷却コイル２０（図２）を取付けている。冷却コイル２０を導入部や導出部に接続すべく、接続部６０、７０も設けている。
【００１６】
支持体１０は一次部（図示せず）への固定用の取付け穴５０、８０を備える。特に図１ａから明らかなように、略円筒状の間隔部材３０は載置面Ａを備え、特定の高さＨを持っている。
【００１７】
冷却コイル２０は、隙間を貫通して間隔部材３０内に延びており、隙間は間隔部材３０の中に、少なくとも載置面Ａの領域又は載置面Ａに対向する領域で冷却コイル２０が隙間３０内に形状的な嵌め合い結合を形成するように構成されている。
【００１８】
間隔部材３０の、載置面Ａと反対側の端部は天井面１５を貫通しており、該端部はねじ４０や止め座金、割りピン等の固定手段により固定される。それに応じ、間隔部材の貫通する端部にねじ、リングナット、穴等を備える。
【００１９】
この冷却装置の外形寸法の精度を保障すべく、固定部材４０を、間隔部材の端部を天井面１５の上に突出させる程度の僅かな厚みを持つように構成する。その際、載置すべき冷却装置を有する一次部の付加的な高さは、専ら間隔部材の高さＨで定まる。即ち許容誤差を良好に管理できる構造部品のみで規定できる。
【００２０】
図示の補助冷却装置は、電動機の一次部上に載置され、載置面Ａは一次部の上面に直接接する。更に、取付け穴５０を介してねじ等の固定手段が一次部にねじ込まれ、それにより冷却装置が固定される。その場合、この固定部材は間隔部材の端部上に、高さ方向に延びるべきでない。そうすることで、冷却装置を取付けた際も、少なくとも載置面に対し垂直な方向の寸法精度を保証できる。
【図面の簡単な説明】
【００２１】
【図１】本発明による冷却装置の概略断面図である。
【図１ａ】図１の要部の拡大図である。
【図２】リニアモータの例における冷却装置の概略下面図である。
【符号の説明】
【００２２】
１０  支持体、１５  天井面、２０  冷却コイル、３０  間隔部材、４０  固定部材、５０  取付け穴、６０  接続部、７０  接続部、８０  取付け穴、Ａ  載置面、Ｈ  高さ
【国際公開パンフレット】
2005502298.tif 000003
2005502298.tif 000004
2005502298.tif 000005
2005502298.tif 000006
2005502298.tif 000007
2005502298.tif 000008
2005502298.tif 000009
2005502298.tif 000010
2005502298.tif 000011
2005502298.tif 000012
【国際公開パンフレット（コレクトバージョン）】
2005502298.tif 000013
2005502298.tif 000014
【国際調査報告】
2005502298.tif 000015
2005502298.tif 000016
2005502298.tif 000017
2005502298.tif 000018
2005502298.tif 000019
2005502298.tif 000020